(57)【要約】ゲージの異なる領域を有する編地を容易にデザインすることができる編地のデザインシステムを提供する。編地をデザインするにあたり設定した初期ゲージ情報とは異なるゲージでの編成に関する異ゲージ情報を設定する異ゲージ情報設定手段３と、初期ゲージ情報と異ゲージ情報に基づいてゲージの異なる複数の編成単位を有する複数ゲージ柄データを作成し、この複数ゲージ柄データにおける各編成単位に編成コードを割り当てることができるように複数ゲージ柄データを編集する柄データ編集手段５と、複数ゲージ柄データの編集状態を表示手段７に表示させる表示処理手段６と、複数ゲージ柄データの各編成単位に割り当てられた編成コードに基づいて編地の編成プログラムを作成する編成プログラム作成手段８とを備える。
2009113282.tif 000002
【特許請求の範囲】
【請求項１】
編地の縦方向および横方向の所定長さ当たりの目数であるゲージを指定することで、ゲージに対応した編成単位を決定すると共に、編地の型紙を編成単位からなる柄データに変換して表示手段に表示し、横編機における編成動作を指定する編成コードを前記編成単位に配列することで編地のデザインをコンピュータ上で行うための編地のデザインシステムであって、
編地をデザインするにあたり設定した初期ゲージ情報とは異なるゲージでの編成に関する異ゲージ情報を設定する異ゲージ情報設定手段と、
初期ゲージ情報と異ゲージ情報に基づいてゲージの異なる複数の編成単位を有する複数ゲージ柄データを作成し、この複数ゲージ柄データにおける各編成単位に編成コードを割り当てることができるように複数ゲージ柄データを編集する柄データ編集手段と、
複数ゲージ柄データの編集状態を表示手段に表示させる表示処理手段と、
複数ゲージ柄データの各編成単位に割り当てられた編成コードに基づいて編地の編成プログラムを作成する編成プログラム作成手段とを備えることを特徴とする編地のデザインシステム。
【請求項２】
柄データ編集手段は、異なる編成単位で編成される領域同士の境界部における編目の編成方法を決定する境界領域編成設定部を有することを特徴とする請求項１に記載の編地のデザインシステム。
【請求項３】
柄データ編集手段は、初期ゲージでの編成単位と異ゲージでの編成単位とのサイズの相違に応じて、異ゲージ領域での編目の編成方法を決定する異ゲージ領域編成設定部を有することを特徴とする請求項１または２に記載の編地のデザインシステム。
【請求項４】
柄データ編集手段は、複数ゲージ柄データを単一の編成単位からなる単一ゲージ柄データに変換し、
表示処理手段は、複数ゲージ柄データと単一ゲージ柄データとを切り替え可能に表示手段に表示させることを特徴とする請求項１〜３のいずれか一項に記載の編地のデザインシステム。
【発明の詳細な説明】
【技術分野】
【０００１】
本発明は、ゲージの異なる編目が混在した編地をデザインするための編地のデザインシステムに関する。
【背景技術】
【０００２】
従来から、モニター上で編地をデザインするシステムが提案されている（例えば、特許文献１を参照）。このシステムでは、まず、編地の外形寸法を決定してシステム上に型紙を形成し、次いで、編地の縦方向（ウェール方向）および横方向（コース方向）の所定長さ当たり（例えば、１０ｃｍ）の目数であるゲージを決定して、ゲージに基づいた編成単位を型紙に割り当てた柄データを作成する。そして、このシステムでは、柄データに配列される編成単位に対してどのような編成動作を行うかを規定した編成コードを当てはめることで、編地のデザインを行っている。また、このシステムでは、実際の編目の縦横比を反映した編成単位をモニター上に表示することで、出来上がりの状態を想定したデザインを行い易いようにしている。【０００３】
【特許文献１】特開平７−７０８８９号公報
【発明の開示】
【発明が解決しようとする課題】
【０００４】
ところで、編地のファッション性を高めるために、大きさの異なる編目が混在した編地、即ち、ゲージの異なる領域が混在した編地を編成したいというニーズがあった。これに対して、上述した特許文献１のシステムを含め、柄データの作成時に設定した初期ゲージと異なるゲージを柄データに組み込むシステムはなかった。そのため、編地に対して異ゲージでの編成領域を設ける場合、当該領域で編目が所望の大きさになるようにシステム操作者が編成単位に編成コードを配置する以外に方法がなかった。例えば、図５に示すように、異ゲージでの編成領域を想定した場合、図面下部から編成を実施していき、異ゲージでの編成領域に差しかかったときにニット（表目）の編成コードとミスの編成コードを組み合わせた針抜き編成をして編目のループ長を長くし、さらに針抜き編成の上の編成コースでは、長くしたループ長の分だけミスの編成コードを指定していた。つまり、このような方法では、実際の編地では一つの編目からなる部分であるにも拘らず、モニター上ではニットの編成コードが１つとミスの編成コードが３つ配置されており、モニター上で編地の出来上がり状態を想定し難いという問題があった。【０００５】
本発明は、上記事情に鑑みてなされたものであり、ゲージの異なる領域を有する編地を容易にデザインすることができる編地のデザインシステムを提供することを目的とする。
【課題を解決するための手段】
【０００６】
本発明の編地のデザインシステムは、編地の縦方向および横方向の所定長さ当たりの目数であるゲージを指定することで、ゲージに対応した編成単位を決定すると共に、編地の型紙を編成単位からなる柄データに変換して表示手段に表示し、横編機における編成動作を指定する編成コードを前記編成単位に配列することで編地のデザインをコンピュータ上で行う。この編地のデザインシステムは、編地をデザインするにあたり設定した初期ゲージ情報とは異なるゲージでの編成に関する異ゲージ情報を設定する異ゲージ情報設定手段と、初期ゲージ情報と異ゲージ情報に基づいてゲージの異なる複数の編成単位を有する複数ゲージ柄データを作成し、この複数ゲージ柄データにおける各編成単位に編成コードを割り当てることができるように複数ゲージ柄データを編集する柄データ編集手段と、複数ゲージ柄データの編集状態を表示手段に表示させる表示処理手段と、複数ゲージ柄データの各編成単位に割り当てられた編成コードに基づいて編地の編成プログラムを作成する編成プログラム作成手段とを備える。【０００７】
本発明の一形態として、柄データ編集手段は、異なる編成単位で編成される領域同士の境界部における編目の編成方法を決定する境界領域編成設定部を有していても良い。【０００８】
また、本発明の一形態として、柄データ編集手段は、初期ゲージでの編成単位と異ゲージでの編成単位とのサイズの相違に応じて、異ゲージ領域での編目の編成方法を決定する異ゲージ領域編成設定部を有していても良い。【０００９】
さらに、本発明の一形態として、柄データ編集手段は、複数ゲージ柄データを単一の編成単位からなる単一ゲージ柄データに変換するようにしても良い。そして、表示処理手段は、複数ゲージ柄データと単一ゲージ柄データとを切り替え可能に表示手段に表示させるようにする。
【発明の効果】
【００１０】
本発明の構成によれば、表示手段上にゲージの異なる複数の編成単位からなる複数ゲージ柄データが表示され、これら編成単位のそれぞれに対して編成コードを割り当てることができるので、編地の出来上がり状態を想定しつつ編地のデザインを行うことができる。【００１１】
境界領域編成設定部を備えることにより、異なる編成単位間の境界部を違和感なく仕上げるための編成方法の決定を編地のデザインシステムに行わせることができる。そのため、従来であれば操作者が行っていた境界部における編成コードの設定の手間を省くことができる。【００１２】
異ゲージ領域編成設定部を備えることにより、異ゲージ領域における編目の編成方法の決定を編地のデザインシステムに行わせることができる。そのため、従来であれば操作者が行っていた異ゲージでの編成領域における編成コードの設定の手間を省くことができる。【００１３】
複数ゲージ柄データと、複数ゲージ柄データを単一のゲージでの表現に変換した単一ゲージ柄データとを同時にあるいは切り替え可能に表示することにより、効率的な編地のデザインを行うことができる。複数ゲージ柄データが表示手段に表示された状態であれば、編地の出来上がりを想定しつつ編地をデザインすることができる。また、この複数ゲージ柄データを単一ゲージ柄データに切り替えれば、実際の編地の編み上がり具合を良くするために編地の編成方法を容易に微調整することができる。
【図面の簡単な説明】
【００１４】
【図１】実施の形態に示す編地のデザインシステムのブロック図である。
【図２】異ゲージ領域の編成方法および異ゲージ領域と初期ゲージ領域との境界部における編成方法を決定するための手順を示すフローチャートである。
【図３】初期ゲージ設定が終わった状態の柄データを示す模式図である。
【図４】複数ゲージでの柄データの表示の一例を示す模式図である。
【図５】単一ゲージでの柄データの表示の一例を示す模式図である。
【符号の説明】
【００１５】
１００  編地のデザインシステム
１  型紙情報設定手段
２  初期ゲージ設定手段
３  異ゲージ情報設定手段
３１  異ゲージ設定手段  ３２  異ゲージ領域設定手段
４  編成単位算出手段
５  柄データ編集手段
５１  異ゲージ領域編成設定部  ５２  境界領域編成設定部
６  表示処理手段    ７  表示手段
８  編成プログラム作成手段
９  編成コード設定手段    １０  編成コード記憶手段
【発明を実施するための最良の形態】
【００１６】
以下、本発明の実施形態を図に基づいて説明する。なお、図３〜５において、紙面左右方向（横方向）をコース方向、紙面上下方向（縦方向）をウェール方向とする。【００１７】
図１は、本発明の編地のデザインシステムを示すブロック図である。編地のデザインシステム１００は、編地をデザインするにあたって種々の設定を入力するための設定手段を備える。設定手段としては、型紙情報設定手段１と、初期ゲージ設定手段２と、異ゲージ情報設定手段３と、編成コード設定手段９とが挙げられ、例えば、キーボードやデジタイザなどの形態で構成される。また、編地のデザインシステムは、柄データ編集手段５と、表示処理手段６と、表示手段７（例えば、モニター）と、編成プログラム作成手段８とを備える。柄データ編集手段５は、上記各設定手段からの入力情報に基づいてゲージの異なる複数の編成単位を有する複数ゲージ柄データを作成し、複数ゲージ柄データにおける各編成単位に編成コードを割り当てることができるように複数ゲージ柄データを編集する。また、表示処理手段６は、複数ゲージ柄データを、異なるゲージに基づいて決定された編成単位が混在した状態のまま表示手段７に表示させる。さらに、編成プログラム作成手段８は、複数ゲージ柄データの各編成単位に割り当てられた編成コードに基づいて編地を編成するための編成プログラムを作成する。以下、この編地のデザインシステムを利用した編地のデザインの一例を示すことで、各手段についても詳細に説明する。【００１８】
まず、型紙情報設定手段１により実際の編地の寸法、即ち、型紙の形状や寸法を入力する。型紙の情報は、後述する編成単位算出手段４と柄データ編集手段５とに出力される。次いで、初期ゲージ設定手段２により編地の縦方向および横方向の所定長さ当たりの編目数である初期ゲージを設定する。設定された初期ゲージは、編成単位算出手段４に入力される。これら型紙情報設定手段１と初期ゲージ設定手段２としては、表示手段７に表示されるダイアログボックスにキーボードから数値を入力する構成が一般的である。【００１９】
編成単位算出手段４は、入力された初期ゲージと型紙の情報から、編地に対する一目の大きさ、即ち、初期ゲージ編成単位の大きさを算出し、柄データ編集手段５に出力する。柄データ編集手段５は、型紙を初期ゲージ編成単位からなる柄データに変換し、表示処理手段６に出力する。表示処理手段６は、柄データに初期ゲージ編成単位が並んだ状態を表示手段７に表示させる。ここで、表示処理手段６は、特許文献１に記載のように、実際の編目の縦横比を反映した形状を有する初期ゲージ編成単位を作成し、表示手段７に表示させるようにすることが好ましい。【００２０】
型紙の初期ゲージ編成単位でどのような編成を行わせるかについては、初期ゲージ編成単位に編成コードを配置するための編成コード設定手段９を用いる。編成コードは、ニットやタック、ミスなどの編成動作を、例えば、色や数字、図形あるいはこれらの組み合わせにより表現したものであり、編成コード記憶手段１０に記憶されている。初期ゲージ編成単位に編成コードを配置することで、柄データ編集手段５の内部で初期ゲージ編成単位での編成動作を規定でき、表示手段７上ではその編成動作を把握できる。例示として、初期ゲージ編成単位に全て表目を配置した状態を図３に示す。【００２１】
初期ゲージの設定をした後に、本発明の編地のデザインシステム１００では、初期ゲージと異なるゲージ（異ゲージ）を有する異ゲージ領域を柄データ（初期ゲージ領域）内に設定することができる。具体的には、まず、異ゲージ情報設定手段３の異ゲージ設定手段３１により異ゲージ領域でのゲージの値を設定する。異ゲージ設定手段３１での設定は編成単位算出手段４に入力され、異ゲージ領域での編成単位（異ゲージ編成単位）が算出される。異ゲージ編成単位が決定されると、異ゲージ領域設定手段３２により、異ゲージ設定手段３１で設定したゲージで編成される異ゲージ領域を柄データ内に指定することができる。例えば、図４に示すように、異ゲージでの編成領域を指定するためのアイコンを表示させ、このアイコンをクリックすることで異ゲージ領域設定モードに切り替え、表示手段７上のポインタで異ゲージ領域の始点と、この始点と対角位置にある終点とを決定することで異ゲージ領域を指定する構成とすることが挙げられる。異ゲージ編成単位や異ゲージ領域の位置情報などの異ゲージ情報は、柄データ編集手段５により型紙に反映され、初期編成単位と異ゲージ編成単位とを有する柄データ（複数ゲージ柄データ）が、表示処理手段６を介して表示手段７に表示される。例えば、初期ゲージに対して縦方向２倍、横方向２倍の異ゲージを設定した場合、図４に示すように、異ゲージ編成単位を示すアイコンが、初期ゲージ編成単位の４倍の大きさを有するように表示される。この異ゲージ編成単位に対しても、初期ゲージ編成単位と同様に、編成コード設定手段９での編成コードの割り当てが可能である。そのため、表示手段７上で異ゲージ領域に対してどのような編成が行われるかについて把握することができ、編地の出来上がり状態を想定した編地のデザインを容易に行うことができる。【００２２】
ここで、図４のような表示は、編地のデザイン上は便利であるが、実際に編地を編成する際は、初期ゲージ領域とは異なる大きさの編目を持つ異ゲージ領域の編成をどのように行うのか、異ゲージ領域と初期ゲージ領域との接合をどのように行うのかを反映させた編成プログラムを作成しなければならない。そこで、本発明の編地のデザインシステム１００は、柄データ編集手段５に備わる異ゲージ領域編成設定部５１により異ゲージ領域での編成方法を決定すると共に、柄データ編集手段５に備わる境界領域編成設定部５２により異ゲージ領域と初期ゲージ領域との境界部における編成方法を決定し、これらの情報に基づいて編成プログラム作成手段８により編成プログラムを作成する。以下、図４に示すように異ゲージ編成単位にニット（表目）の編成コードを割り当てた場合を例にして、編成プログラムの作成手順を図１のブロック図と図２のフローチャートを参照して説明する。【００２３】
まず、異ゲージ領域編成設定部５１は、初期ゲージ編成単位を含む初期ゲージ情報と、異ゲージ編成単位および異ゲージ編成領域を含む異ゲージ情報とを取得する（ステップ１および２）。初期ゲージ情報と異ゲージ情報とは、初期ゲージ編成単位からなる柄データに異ゲージ領域を設定した際に既に柄データ編集手段５に入力されているものを使用すれば良い。次いで、異ゲージ領域編成設定部５１は、初期ゲージ情報と異ゲージ情報から、異ゲージ領域における異ゲージ編成単位の数と位置情報を特定する（ステップ３）。【００２４】
異ゲージ編成単位の数と位置情報を特定すれば、異ゲージ領域編成設定部５１は、異ゲージ領域での編成をどのように行うのかを決定する。例えば、初期ゲージ編成単位と異ゲージ編成単位とのサイズの相違が所定値以上であるかを判断し（ステップ４）、次述するステップ５−１の編成を行なうか、ステップ５−２の編成を行なうのかを決定する。この所定値は、予め入力された固定値としても良いし、この固定値を編糸の太さなどの編成に関する情報を参照して自動で補正した補正値としても良いし、操作者が変更できるようにしても良い。また、このステップ４を設けずに、ステップ３から直接、次述するステップ５−１もしくはステップ５−２に移行するように構成してもかまわない。【００２５】
サイズ差が所定値以上であれば、異ゲージ領域編成設定部５１は、異ゲージ編成単位に設定された編成コードを実行するために使用する編針の数を調節することで異ゲージ領域での編目の大きさを調節する編成を設定する（ステップ５−１）。図４を例にすれば、異ゲージ編成単位の大きさが初期ゲージ編成単位のちょうど４つ分に相当する。そこで、例えば、従来技術の説明で参照した図５のように、異ゲージ編成単位を４つの編成単位に分解し、下段の２つ（１コース目）の編成単位にニットとミスを振り分けて、異ゲージ領域での編目の大きさを確保し、上段の２つ（２コース目）の編成単位に２つのミスを設定する。つまり、異ゲージ編成単位に設定されたニットの編成コードを実行するために４本の編針が使用されている。これに対して、初期ゲージ領域の初期ゲージ編成単位にニットの編成コードを設定すれば、ニットの編成コードを実行するために使用される編針は１本である。例えば、初期ゲージ領域で総針編成をしていれば、異ゲージ領域では針抜き編成となるように編成方法を変更する。【００２６】
ここで、図４を参照した説明では初期ゲージ編成単位よりも異ゲージ編成単位の方が大きい場合であったが、その逆の場合、異ゲージ編成単位に設定された編成コードを実行するために使用する編針の数を、同じ編成コードが設定された初期ゲージ編成単位で使用する編針の数よりも少なくすれば良い。例えば、初期ゲージ領域が針抜き編成されている場合、初期ゲージ編成単位で編目を作るには、ニットとミスをする２つの編針を使用するのに対して、異ゲージ領域では総針編成を行なえば良い。【００２７】
一方、サイズ差が所定値未満であれば、異ゲージ領域編成設定部５１は、異ゲージ編成単位に設定された編成コードを実行するために異ゲージ編成単位の編目のループ長を変更することで編目の大きさを調節する編成を設定する（ステップ５−２）。代表的には、編目を作る際に編針の引き込み量を調節することで編目のループ長を変更することができる。例えば、初期ゲージ編成単位よりも異ゲージ編成単位が大きい場合は、編針の引き込み量を大きくし、初期ゲージ編成単位よりも異ゲージ編成単位が小さい場合は、編針の引き込み量を小さくする。【００２８】
異ゲージ領域の編成方法が決定されれば、柄データ編集手段５の境界領域編成設定部５２は、境界部の編成方法データを呼び出し（ステップ６）、初期ゲージ領域と異ゲージ領域との境界部分における編成方法を決定する（ステップ７）。境界部の編成方法データは、編地のデザインシステム１００内の記憶手段（図示せず）に記憶される公知の編成方法の集合体であり、境界領域編成設定部５２は、初期ゲージ情報、異ゲージ情報および異ゲージ領域の編成方法を参照して、編成方法の集合体のなかから最適な編成方法を決定する。通常、初期ゲージ領域と異ゲージ領域は、両領域のウェール方向に並ぶ上下の境界部における編目の数が異なるため、主として、これらの数を一致させておくような編成方法が選択される。例えば、図４の場合、異ゲージ編成単位のコース方向の大きさは、初期ゲージ編成単位の２つ分である。従って、初期ゲージ領域から異ゲージ領域に変化する下側の境界部では、例えば、境界部に並ぶ初期ゲージ領域の編目列のうち、隣接する２つの編目同士を重ね合わせて、異ゲージ領域のコース方向の編目数と一致するようにした重ね目を形成し、これら重ね目の上に異ゲージ領域の編目を編成する。また、異ゲージ領域から初期ゲージ領域に変化する上側の境界部では、例えば、境界部に並ぶ異ゲージ領域の編目列の編目を割り増やしして、初期ゲージ領域の編目数と一致するようにし、これら割り増やし目の上に初期ゲージ領域の編目を編成する。なお、異ゲージ領域と初期ゲージ領域とのサイズ差が非常に小さい場合は、初期ゲージ領域と異ゲージ領域とで境界部に並ぶ編目の数が同じこともあり得るので、そのときは、境界部における編目数の調節をしなければ良い。【００２９】
さらに、初期ゲージ領域と異ゲージ領域は、両領域のコース方向の境界部におけるコースの数が異なることもある。そのときは、境界領域編成設定部５２は、コース数の相違により編地に引きつれやたるみなどが生じないような境界部の編成方法を選択する。初期ゲージ領域と異ゲージ領域との比率に応じて初期ゲージと異ゲージ領域とを何コース毎に接続するかを決定する。図４に示す場合では、初期ゲージ領域２コースに対して異ゲージ領域１コースの接続を行う。【００３０】
異ゲージ領域での編成方法と、ゲージの異なる境界部における編成方法が決定したら、編成プログラム作成手段８は、この編成コードに基づいて実際の編針の動作および編糸の繰り出し手順などを設定した編成プログラムを作成する（ステップ８）。作成した編成プログラムは、磁気ディスクなどの記録媒体や、有線、無線などを介して横編機へ送られる。【００３１】
なお、上述した図２のフローチャートは、初期ゲージ領域と異ゲージ領域との関係を例として挙げているが、このフローチャートに示す異ゲージ領域での編成方法とゲージの異なる境界部での編成方法を決定するための考え方を利用すれば、初期ゲージ領域とは異なる２つ以上の異ゲージ領域を設定することもできる。異ゲージ領域での編成方法は、あくまで初期ゲージ編成単位を基準として決定すれば良い。また、ゲージの異なる境界部における編成方法も初期ゲージ編成単位を基準として決定すれば良い。例えば、ゲージの異なる異ゲージ領域が隣接する場合でも、一方の異ゲージ領域と初期ゲージ領域との境界部の編成方法が初期ゲージ編成単位を基準として決定されれば、一方の異ゲージ領域と他方の異ゲージ領域との境界部の編成方法も間接的に初期ゲージ編成単位を基準に決定される。【００３２】
以上説明した処理は、柄データ編集手段５の内部で実行されており、出来上がりを想定して編地をデザインし易くするために、表示手段７上ではあくまで図４に示すような初期ゲージと異ゲージとを有する柄データ（複数ゲージ柄データ）が表示されているが、柄データ編集手段５の内部には、図５に示すような単一ゲージで表される柄データ（単一ゲージ柄データ）のデータが存在する。本実施形態では、図示しない表示切り替え指令手段（例えば、表示手段７に表示されるアイコンや、キーボード）により、複数ゲージでの表示と単一ゲージでの表示との切り替えを表示処理手段６に指令するように構成する。もちろん、複数ゲージでの表示と単一ゲージでの表示を同時に行うように表示処理手段６を操作してもかまわない。また、編成プログラムが作成されているので、編成プログラムの表示に切り替えられるようにしても良い。【００３３】
なお、上述した実施の形態は、あくまで一例であって、本発明の要旨を逸脱しない範囲において適宜変更することができる。
【産業上の利用可能性】
【００３４】
本発明の編地のデザインシステムは、複数ゲージが混在した多様な組織柄を有する編地の編成に好適に利用可能である。
【図１】
2009113282.tif 000003
【図２】
2009113282.tif 000004
【図３】
2009113282.tif 000005
【図４】
2009113282.tif 000006
【図５】
2009113282.tif 000007
【国際調査報告】
2009113282.tif 000008
2009113282.tif 000009
2009113282.tif 000010
2009113282.tif 000011